(57)【要約】【課題】容易に携帯情報端末のデータを情報記憶装置のデータと同期させることができるデータ同期システム、データ同期システムに用いられる充電器、携帯充電ユニット、および、同期プログラムを提供すること。【解決手段】データ同期システムは、各種データを記憶可能な携帯電話１００と、電力線通信機能を有するＰＣ１と、携帯電話１００を充電するための充電器１０１とを備える。充電器１０１は、電力線１２と接続することによりＰＣ１と電力線通信するためのＰＬＣモデム２０を含み、携帯電話１００は、充電器１０１と電気的に接続されている場合に、記憶された特定種類のデータを、ＰＬＣモデム２０に出力するためのベースバンドモジュール２２を含む。ＰＣ１は、ＰＬＣモデム２０より送信された特定種類のデータと、記憶装置３２に記憶されたデータとを同期させる。【選択図】図１
2009278160.tif 000002
【特許請求の範囲】
【請求項１】
各種データを記憶可能な携帯情報端末と、
電力線通信機能を有する情報記憶装置と、
前記携帯情報端末を充電するための充電器とを備え、
前記充電器は、電力線と接続することにより前記情報記憶端末と電力線通信するための第１の通信手段を含み、
前記携帯情報端末は、前記充電器と電気的に接続されている場合に、記憶された特定種類のデータを、前記第１の通信手段に出力するための出力手段を含み、
前記情報記憶装置は、前記第１の通信手段より送信された前記特定種類のデータと、前記情報記憶装置に記憶されたデータとを同期させる、データ同期システム。
【請求項２】
前記携帯情報端末および前記情報記憶装置は、それぞれ、
各種データをデータ識別情報と対応付けて記憶するための第１および第２の記憶手段と、
同期のための制御を行なう第１および第２の制御手段とを含み、
前記第２の記憶手段は、さらに、ユーザより指示された同期対象のデータについてのデータ識別情報を、同期設定情報として記憶し、
前記第２の制御手段は、前記第２の記憶手段に記憶された前記同期設定情報に基づいて、前記携帯情報端末に記憶されたデータとの同期のための制御を行なう、請求項１に記載のデータ同期システム。
【請求項３】
前記第１の制御手段は、
前記充電器と接続されたか否かを検出するための検出手段と、
前記検出手段により接続が検出された場合に、前記出力手段を介して前記情報処理装置に電力線通信の開始を要求するための第１の要求手段とを有する、請求項２に記載のデータ同期システム。
【請求項４】
前記情報記憶装置は、計時動作を行なう計時手段をさらに含み、
前記同期設定情報は、前記データ識別情報ごとの同期タイミングを表わす同期スケジュールをさらに有し、
前記第２の制御手段は、
前記第１の要求手段より開始要求を受付けた場合に、前記同期スケジュールに基づき、現在が同期のタイミングか否かを判断するための判断手段と、
同期タイミングと判断された場合に、同期開始を要求するための第２の要求手段とを有する、請求項３に記載のデータ同期システム。
【請求項５】
前記第２の制御手段は、
ユーザより同期開始の指示を受付けた場合には、前記携帯情報端末が前記充電器に接続されているか否かを前記携帯情報端末に問い合わせる手段と、
前記携帯情報端末と前記充電器とが接続されているとの返信を受付けた場合には、現在が同期のタイミングか否かにかかわらず、同期開始を要求するための第３の要求手段とをさらに有する、請求項４に記載のデータ同期システム。
【請求項６】
前記第１の制御手段は、同期対象のデータを暗号化するための暗号化手段をさらに有し、
前記携帯情報端末は、前記暗号化手段により暗号化されたデータを前記充電器を介して前記情報処理装置に送信する送信手段をさらに含み、
前記情報記憶装置は、前記暗号化されたデータを受信するための受信手段をさらに含み、
前記第２の制御手段は、前記暗号化されたデータを復号化するための復号化手段をさらに有する、請求項２〜５のいずれかに記載のデータ同期システム。
【請求項７】
前記情報記憶装置は、パーソナルコンピュータであり、
前記パーソナルコンピュータと前記電力線とを接続することにより電力線通信するための第２の通信手段をさらに備える、請求項１〜６のいずれかに記載のデータ同期システム。
【請求項８】
前記情報記憶装置は、同期専用端末であり、
前記同期専用端末は、前記電力線と接続することにより電力線通信するための第２の通信手段を含む、請求項１〜６のいずれかに記載のデータ同期システム。
【請求項９】
前記充電器は、さらに、第３の記憶手段を含み、
前記第１の制御手段は、前記充電器に載置された場合に、前記第１の記憶手段に記憶された同期対象データを前記第３の記憶手段に記憶し、
前記第２の制御手段は、前記第３の記憶手段に記憶された同期対象のデータを、前記第２の記憶手段に記憶されたデータと同期させる制御を行なう、請求項１〜７のいずれかに記載のデータ同期システム。
【請求項１０】
携帯情報端末に記憶されたデータを情報記憶装置に記憶されたデータと同期させるためのデータ同期システムにおいて用いられる、前記携帯情報端末を充電するための充電器であって、
電力線と接続することにより、前記情報記憶装置と電力線通信するための通信手段を含み、
前記通信手段は、前記情報記憶装置に接続または内蔵された電力線通信手段を介して、前記携帯情報端末と前記情報処理装置との間のデータ同期のための通信の中継を行なう、充電器。
【請求項１１】
携帯情報端末に記憶されたデータを情報記憶装置に記憶されたデータと同期させるためのデータ同期システムにおいて用いられる、前記携帯情報端末と、前記携帯情報端末を充電するための充電器とを備えた携帯充電ユニットであって、
前記充電器は、電力線と接続することにより前記情報記憶端末と電力線通信するための通信手段を含み、
前記携帯情報端末は、同期のための制御を行なう制御手段を含み、
前記制御手段は、前記充電器に接続されたことを検知した場合に、前記第１の通信手段を介して電力線通信の開始を要求する、携帯充電ユニット。
【請求項１２】
電力線通信にて携帯情報端末に記憶されたデータを情報記憶装置に記憶されたデータと同期させるための同期プログラムであって、
前記携帯情報端末が充電器と接続された旨の接続通知を受信するステップと、
前記接続通知を受信した場合に、同期対象のデータのデータ識別情報を前記携帯情報端末に通知するステップと、
前記携帯情報端末から受付けた特定種類のデータを、前記識別情報に対応付けられたデータと同期させるステップとを、情報記憶装置に実行させる、同期プログラム。
【請求項１３】
電力線通信にて携帯情報端末に記憶されたデータを情報記憶装置に記憶されたデータと同期させるための同期プログラムであって、
充電器と接続されたか否かを検知するステップと、
前記充電器と接続されたことを検知した場合に、前記情報処理装置に接続通知を送信するステップと、
同期対象のデータのデータ識別情報を受信するステップと、
前記データ識別情報に対応付けられた特定種類のデータを読み出して、前記情報記憶装置に送信するステップとを、携帯情報端末に実行させる、同期プログラム。
【発明の詳細な説明】
【技術分野】
【０００１】
本発明は、データ同期システム、充電器、携帯充電ユニットおよび同期プログラムに関し、特に、携帯情報端末に記憶されたデータやプログラムを、情報記憶装置に記憶させることのできるデータ同期システム、充電器、携帯充電ユニットおよび同期プログラムに関する。
【背景技術】
【０００２】
従来、携帯電話装置のデータをパーソナルコンピュータ（以下「ＰＣ」という）などの情報処理装置と同期するための手段として、携帯電話装置とＰＣをＵＳＢ（Universal Serial Bus）ケーブルなどの物理的な手段を用いていた。ＵＳＢケーブルにより携帯電話装置とＰＣとを接続し、ＰＣ上のソフトウェアをユーザが操作することにより手動で同期を行っていた。従来の手法では、携帯電話の充電を同時に行うことが可能であるが、ＵＳＢケーブルの接続には、専用ケーブルを用いて携帯電話装置のコネクタとＰＣのＵＳＢコネクタとを接続しなければならない煩わしさがあり、コネクタの破損のなども頻繁に発生してしまう。
【０００３】
携帯電話装置に内蔵されている電池の充電には、専用の充電台を用いて充電することが一般的である。専用の充電台は、電源の供給手段さえあれば設置場所に制約はないが、専用の充電台にはデータ通信の機能はなく、データの同期を行うためには、上記のようなＵＳＢケーブルの接続が必要である。そのため、ＵＳＢケーブル接続の際にはＰＣから限られた範囲で接続しなければならない制約があった。
【０００４】
ＵＳＢケーブルによらずに携帯電話とＰＣとを接続するための提案が従来よりなされている。たとえば特許文献１には、携帯電話とＰＣを電力線により接続する技術が公開されている。この技術では、従来のＰＣとの接続の代替手段としてＰＬＣ（電力線通信：Power Line Communications）をあげている。また、特許文献２では、ＰＬＣと携帯電話を利用した、在籍管理システムを公開している。
【特許文献１】特開２００３−１６９００４号公報
【特許文献２】特開２００７−７９６５４号公報
【発明の開示】
【発明が解決しようとする課題】
【０００５】
従来のＵＳＢケーブルを用いた接続では、ユーザが手動でケーブルを接続し、ＰＣ上でデータ同期ソフトウェアを手動で実行する必要があり、非常に煩わしく、複雑である。また、接続にコネクタを利用するため、コネクタの破損が発生しやすい。
【０００６】
従来、専用の充電台にはケーブル接続用のコネクタが無く、データ通信を行う手段が搭載されていないため、充電台を用いてデータの同期を行うことができなかった。また、データ通信を行う場合、ＰＣの近辺でＵＳＢケーブルを用いてＰＣと携帯電話を接続しなければならないため、設置場所の制約が大きかった。
【０００７】
従来のデータ同期ソフトウェアは、携帯電話の機種ごとに利用の可不可が決まっており、新しい機種に対してＵＳＢケーブルを用いてデータ同期を行うためには、頻繁にソフトウェアのバージョンアップを行わなければならない。
【０００８】
上記特許文献１では、端末へのＰＬＣの実装方法について言及しているが、具体的なデータ同期の手法について述べられていない。
【０００９】
本発明は、上記のような問題を解決するためになされたものであって、その目的は、容易に携帯情報端末のデータを情報記憶装置のデータと同期させることができるデータ同期システム、データ同期システムに用いられる充電器、携帯充電ユニット、および、同期プログラムを提供することである。
【課題を解決するための手段】
【００１０】
この発明のある局面に従うデータ同期システムは、各種データを記憶可能な携帯情報端末と、電力線通信機能を有する情報記憶装置と、携帯情報端末を充電するための充電器とを備え、充電器は、電力線と接続することにより情報記憶端末と電力線通信するための第１の通信手段を含み、携帯情報端末は、充電器と電気的に接続されている場合に、記憶された特定種類のデータを、第１の通信手段に出力するための出力手段を含み、情報記憶装置は、第１の通信手段より送信された特定種類のデータと、情報記憶装置に記憶されたデータとを同期させる。
【００１１】
好ましくは、携帯情報端末および情報記憶装置は、それぞれ、各種データをデータ識別情報と対応付けて記憶するための第１および第２の記憶手段と、同期のための制御を行なう第１および第２の制御手段とを含み、第２の記憶手段は、さらに、ユーザより指示された同期対象のデータについてのデータ識別情報を、同期設定情報として記憶し、第２の制御手段は、第２の記憶手段に記憶された同期設定情報に基づいて、携帯情報端末に記憶されたデータとの同期のための制御を行なう。
【００１２】
好ましくは、第１の制御手段は、充電器と接続されたか否かを検出するための検出手段と、検出手段により接続が検出された場合に、出力手段を介して情報処理装置に電力線通信の開始を要求するための第１の要求手段とを有する。
【００１３】
好ましくは、情報記憶装置は、計時動作を行なう計時手段をさらに含み、同期設定情報は、データ識別情報ごとの同期タイミングを表わす同期スケジュールをさらに有し、第２の制御手段は、第１の要求手段より開始要求を受付けた場合に、同期スケジュールに基づき、現在が同期のタイミングか否かを判断するための判断手段と、同期タイミングと判断された場合に、同期開始を要求するための第２の要求手段とを有する。
【００１４】
好ましくは、第２の制御手段は、ユーザより同期開始の指示を受付けた場合には、携帯情報端末が充電器に接続されているか否かを携帯情報端末に問い合わせる手段と、携帯情報端末と充電器とが接続されているとの返信を受付けた場合には、現在が同期のタイミングか否かにかかわらず、同期開始を要求するための第３の要求手段とをさらに有する。
【００１５】
好ましくは、第１の制御手段は、同期対象のデータを暗号化するための暗号化手段をさらに有し、携帯情報端末は、暗号化手段により暗号化されたデータを充電器を介して情報処理装置に送信する送信手段をさらに含み、情報記憶装置は、暗号化されたデータを受信するための受信手段をさらに含み、第２の制御手段は、暗号化されたデータを復号化するための復号化手段をさらに有する。
【００１６】
好ましくは、情報記憶装置は、パーソナルコンピュータであり、パーソナルコンピュータと電力線とを接続することにより電力線通信するための第２の通信手段をさらに備える。
【００１７】
好ましくは、情報記憶装置は、同期専用端末であり、同期専用端末は、電力線と接続することにより電力線通信するための第２の通信手段を含む。
【００１８】
好ましくは、充電器は、さらに、第３の記憶手段を含み、第１の制御手段は、充電器に載置された場合に、第１の記憶手段に記憶された同期対象データを第３の記憶手段に記憶し、第２の制御手段は、第３の記憶手段に記憶された同期対象のデータを、第２の記憶手段に記憶されたデータと同期させる制御を行なう。
【００１９】
この発明の他の局面に従う充電器は、携帯情報端末に記憶されたデータを情報記憶装置に記憶されたデータと同期させるためのデータ同期システムにおいて用いられる、携帯情報端末を充電するための充電器であって、電力線と接続することにより、情報記憶装置と電力線通信するための通信手段を含み、通信手段は、情報記憶装置に接続または内蔵された電力線通信手段を介して、携帯情報端末と情報処理装置との間のデータ同期のための通信の中継を行なう。
【００２０】
この発明のさらに他の局面に従う携帯充電ユニットは、携帯情報端末に記憶されたデータを情報記憶装置に記憶されたデータと同期させるためのデータ同期システムにおいて用いられる、携帯情報端末と、携帯情報端末を充電するための充電器とを備えた携帯充電ユニットであって、充電器は、電力線と接続することにより情報記憶端末と電力線通信するための通信手段を含み、携帯情報端末は、同期のための制御を行なう制御手段を含み、制御手段は、充電器に接続されたことを検知した場合に、第１の通信手段を介して電力線通信の開始を要求する。
【００２１】
この発明のさらに他の局面に従う同期プログラムは、電力線通信にて携帯情報端末に記憶されたデータを情報記憶装置に記憶されたデータと同期させるための同期プログラムであって、携帯情報端末が充電器と接続された旨の接続通知を受信するステップと、接続通知を受信した場合に、同期対象のデータのデータ識別情報を携帯情報端末に通知するステップと、携帯情報端末から受付けた特定種類のデータを、識別情報に対応付けられたデータと同期させるステップとを、情報記憶装置に実行させる。
【００２２】
この発明のさらに他の局面に従う同期プログラムは、電力線通信にて携帯情報端末に記憶されたデータを情報記憶装置に記憶されたデータと同期させるための同期プログラムであって、充電器と接続されたか否かを検知するステップと、充電器と接続されたことを検知した場合に、情報処理装置に接続通知を送信するステップと、同期対象のデータのデータ識別情報を受信するステップと、データ識別情報に対応付けられた特定種類のデータを読み出して、情報記憶装置に送信するステップとを、携帯情報端末に実行させる。
【発明の効果】
【００２３】
本発明によると、携帯情報端末を充電する際に、自動的にデータの同期が行なうことができる。したがって、ユーザは、容易に携帯情報端末のデータを情報記憶装置のデータと同期させることができる。
【発明を実施するための最良の形態】
【００２４】
本発明の実施の形態について図面を参照しながら詳細に説明する。なお、図中同一または相当部分には同一符号を付してその説明は繰返さない。
【００２５】
＜データ同期システムの構成について＞
図１は、本発明の実施の形態に係るデータ同期システムの概念図である。
【００２６】
図１を参照して、本実施の形態に係るデータ同期システムは、データの同期を行うための、ＰＬＣ機能を有するＰＣ１で動作するソフトウェア（同期プログラム）と、当該システム対応の携帯電話１００と、携帯電話１００の充電器１０１とを備える。充電器１０１は、ＰＬＣ機能を有しており、携帯電話１００の載置（接続）を感知して自動で同期処理を開始する。
【００２７】
ＰＣ１は、携帯電話１００に記憶された特定種類のデータ（プログラムを含む）と、ＰＣ１内に記憶されたデータとを同期させる処理を行なう。つまり、携帯電話１００に記憶された特定種類のデータを、ＰＣ１に保存する処理を行なう。なお、「特定種類のデータ」とは、ユーザにより同期対象として指定（設定）された種類のデータまたはプログラムを表わす。より限定的には、ユーザにより同期対象として指定された種類のデータまたはプログラムのうち、前回の同期処理後に更新および追加されたデータまはたプログラムを表わす。
【００２８】
ＰＣ１は、ＬＡＮケーブル１１を介して電力線通信機器であるＰＬＣモデム１０と接続される。充電器１０１は、ＰＬＣモデム２０を含む。ＰＬＣモデム２０の構成例については、後述する。
【００２９】
電力線１２には、ＰＬＣモデム１０および充電器１０１が接続される。なお、電力線１２には、ＰＣ１の代わりにＰＬＣモデムを内蔵した同期専用機器（電子機器）２を接続してもよい。
【００３０】
ＰＣ１は、データ同期処理の機能を実現するために、通信部３０と、制御部３１と、記憶装置３２とを含む。通信部３０は、ＰＬＣモデム１０と電気的に接続され、携帯電話１００と通信する。制御部３１は、たとえば、各種演算処理を行なうＣＰＵ（Central Processing Unit）により構成される。記憶装置３２は、各種データを不揮発的に記憶する。記憶装置３２は、たとえば、ＨＤＤ（Hard Disk Drive）であってもよいし、着脱可能な記憶媒体（たとえば光学記憶媒体）などであってもよい。
【００３１】
ＰＣ１のハードウェアブロック図を図２に示す。
図２を参照して、ＰＣ１は、通信部３０、制御部３１、および記憶装置３２に加え、ユーザからの指示を受付けるための操作部３３と、各種情報を表示するための表示部３４と、計時動作を行なうクロック３５と、たとえばＣＤ−ＲＯＭ（Compact Disk-Read Only Memory）３６ａなどの光学記録媒体に記録されたデータやプログラムを読み出すためのＣＤ−ＲＯＭドライブ３６とを備える。操作部３３は、たとえばキーボードにより構成される。表示部３４は、たとえば液晶により構成される。また、ここでは、ＣＤ−ＲＯＭドライブ３６を備えることとしたが、これに加え／代えて、他の記録媒体、たとえばフレキシブルディスクなどに記録されたデータやプログラムを読出すための読出部を備えてもよい。
【００３２】
再び図１を参照して、携帯電話１００は、充電回路２１と、ベースバンドモジュール２２と、不揮発性メモリ（たとえばフラッシュメモリ）２３と、充電池２４と、制御回路２５と、読出部２６とを含む。制御回路２５は、たとえば、各種演算処理を行なうＣＰＵにより構成される。読出部２６は、メモリカード２６ａなどの外部記憶媒体に記録されたデータやプログラムを読出す。
【００３３】
携帯電話１００には、２セットの端子があり、携帯電話１００が充電器１０１に接続される（たとえば、差し込む、はめる、など）と、１セットの端子は、充電回路２１に直結し、他の１セットの端子が、ベースバンドモジュール２２に直結するものとする。
【００３４】
このような構成とされるので、携帯電話１００が充電器１０１に接続されると、充電器１０１は充電回路２１を介して充電池２４の充電を開始するとともに、携帯電話１００とＰＣ１との電力線通信が開始される。つまり、携帯電話１００に内蔵されたベースバンドモジュール２２は、充電器１０１に内蔵されたＰＬＣモデム２０を介してＰＣ１との電力線通信を開始する。
【００３５】
携帯電話１００と充電器（クレードル）１０１は、携帯充電ユニットを構成する。
なお、携帯電話１００は、上記構成の他、携帯電話として機能するための各種デバイス（操作部、表示部、音声出力部など）をさらに含むものとする。
【００３６】
また、本実施の形態では、携帯情報端末が携帯電話であることとして説明するが、充電池内蔵の携帯情報端末であれば、携帯電話に限定されない。たとえば、携帯型のノートパソコン（ラップトップコンピュータ）や、ＰＤＡ（Personal Digital Assistant）などであってもよい。
【００３７】
また、ＰＣ１は、典型的には、据え置き型のデスクトップパソコンが想定されるが、家庭内など限られた屋内空間でのみ使用されるコンピュータ（情報記憶装置）であれば、ノートパソコンなどであってもよい。
【００３８】
図３は、充電器１０１に内蔵されたＰＬＣモデム２０のハードウェア構成例を示すブロック図である。
【００３９】
図３を参照して、ＰＬＣモデム２０は、主に無線通信を処理するベースバンドプロセッサ２０１、不揮発メモリ（たとえばフラッシュメモリ）２０２、Ｄ／Ａ回路２０３、Ａ／Ｄ回路２０４、電力線１２と結合される結合回路２０５を有する。
【００４０】
送信データは、携帯電話１００内の制御回路２５で生成され、ベースバンドモジュール２２を介して、充電器１０１のベースバンドプロセッサ２０１に転送される。デジタル送信データは、このベースバンドプロセッサ２０１で変調され、Ｄ／Ａ回路２０３でアナログ信号（ＰＬＣ用の送信データ）となり、結合回路２０５に送られ、結合回路２０５より電力線１２に送出される。
【００４１】
また、結合回路２０５は電力線１２から送信されてきたアナログ信号（電力線搬送通信による受信データ）を入力する。アナログ信号はＡ／Ｄ回路２０４でデジタル受信データとなり、充電器１０１のベースバンドプロセッサ２０１で復調処理が行われた後、携帯電話１００のベースバンドモジュール２２に転送される。
【００４２】
このように、充電器１０１は、携帯電話１００と電力線１２とに接続されることにより、携帯電話１００と電力線１２との間の通信インタフェースとなり、携帯電話１００と電力線１２との間でＰＬＣ通信の中継処理を行う。
【００４３】
ここで、本システムで同期対象とするデータは、ユーザが携帯電話１００に保存することができる任意のデータ、たとえば、アドレス帳、スケジュールおよびメモ帳などのテキストデータ、音楽データ、画像データ等、であってよい。また、ＰＣ１にて読み込みおよび使用が不可能な情報についても、同期の対象とすることができる。ＰＣ１にて使用不可能な情報には、たとえばユーザがダウンロードした携帯電話専用のアプリケーションや、それに付随するデータ等である。携帯電話専用のアプリケーションは通常、端末を変更した場合にデータの移動を行うことができないが、本システムを用いて別の携帯電話へ携帯電話専用のアプリケーションおよびデータを移植することができる。これにより、別の携帯電話においても、該当アプリケーションを使用することができる。
【００４４】
本システムによるデータの同期は、ＰＣ１側に常駐している自動同期ソフトウェアにより行われるものとし、同期の対象とするデータはユーザが任意に選択することができる。同期可能なデータのうち、たとえばスケジュールは毎日、アドレス帳は週一回など、ユーザが任意に同期スケジュールおよび同期対象とするデータ（の種類）を選択できるものとする。ユーザにより設定された同期スケジュールおよび同期対象のデータのデータ識別情報は、同期設定情報としてＰＣ１の記憶装置３２に記憶される。
【００４５】
ＰＣ１と携帯電話１００とのデータの同期では、差分のあるデータのみの送信を行うことが可能である。差分データのみ送信する場合には、高速な同期が可能となる。
【００４６】
ＰＣ１には、携帯電話１００に適合する同期用の専用ソフトウェアが組み込まれており、ＰＣ１と携帯電話１００との通信を確立する際に独自のセキュリティを導入することで、携帯電話１００に含まれるデータの改ざんを未然に防ぐことができる。
【００４７】
本システムのセキュリティについて具体的に説明する。本システムを用いて自動的に保存した任意のデータは、ＰＣ１にそのままの形で転送される。そのため、携帯電話１００のデータを盗聴／改ざんされないようにするため、自動同期システムに対してＰＧＰ（Pretty Good Privacy）等の公開鍵／秘密鍵方式等の暗号化を行うことができる。たとえば、携帯電話１００の制作会社は、本システムの同期要求に対して本システムが提供する公開鍵を利用してファイルを暗号化してから送信する。本システムにおいてデータを受信する際には、ＰＣ１側の同期ソフト内に保存された秘密鍵を用いてデータを復号してからＰＣ１に保存する。
【００４８】
本システムにおける公開鍵は、ＰＣ１側の同期ソフト制作時に、本システムに対応を表明した携帯電話１００の制作メーカーに公開されているものとする。また、その公開鍵は、携帯電話１００側の同期ソフトウェアの暗号化の仕組みの部分に含められているものとする。
【００４９】
同様に、本システムにおけるＰＣ１側の同期ソフト制作時にも、携帯電話メーカーから提供された公開鍵が同期ソフトウェアに組み込まれている。また、後発の機種に対して柔軟に対応できるよう、プラグインや設定ファイルとして公開鍵をあとから追加できるようソフトを制作することで、メーカーから提供される公開鍵は使用直前までのどのタイミングでも組み込むことができる。
【００５０】
また、携帯電話１００からの同期要求に対して本システムは、携帯電話１００の制作会社の提供する公開鍵を用いて暗号化し、携帯電話１００に対してデータを送信する。携帯電話１００は、差分データを受信した際には、携帯電話１００の内部に保持する、携帯電話１００の制作会社が提供する秘密鍵を用いてこれを復号し、内部の不揮発メモリ２３に保存する。
【００５１】
上記手順を実装することにより、携帯電話１００とＰＣ１の間を流れる電気的なデータを第３者により盗聴、改ざんされる可能性を極力低減することができる。
【００５２】
なお、本実施の形態における同期システムを機能させるためには、ユーザにより、前もって、ＰＣ１にダウンロードされた同期ソフトと、携帯電話１００との関連付けが行なわれているものとする。同期ソフトと携帯電話１００との関連付けは、たとえば、携帯電話１００の充電器１０１に割り当てられたＩＰアドレスが用いられる。ユーザは、予め、操作部３３を操作して、ＰＣ１と同期させたい携帯電話の充電器のＩＰアドレスを記憶装置３２の所定の領域に記憶させておく。これにより、同期ソフトは、同期対象の携帯電話１００とＰＣ１とを関連付けることができる。
【００５３】
図４は、本実施の形態における同期ソフトと携帯電話との関連付けのイメージを示す図である。図４を参照して、ＰＣ１の同期ソフトに、同期対象の携帯電話Ａ，Ｂ，Ｃそれぞれの充電器のＩＰアドレスが関連付けられている。このように、同期ソフトと携帯電話の充電器のＩＰアドレスを関連付けておくことにより、１つのＰＣと複数の携帯電話Ａ，Ｂ，Ｃとの間で同期処理を行なうことができる。また、同様に、複数のＰＣと１つの携帯電話の間で同期処理を行なうこともできる。
【００５４】
＜データ構造について＞
図５は、ＰＣ１の記憶装置３２に記憶される同期設定情報５０のデータ構造例を示す図である。図５を参照して、同期設定情報５０は、ジャンルＩＤと同期スケジュールとの２つの項目を含み、各々が対応付けられる。ジャンルＩＤは、同期対象のデータ（ファイル）の種類を識別するためのデータ識別情報（ファイル識別情報）であり、たとえば、アドレス帳、メールなどに予め付与されたジャンルＩＤが記憶される。同期スケジュールは、ジャンル（データの種類）ごとに、同期処理を実行するタイミング（以下「同期タイミング」という）を特定するためのデータであり、たとえば、「毎日」、「３日ごと」、「１週間ごと」などが記憶される。
【００５５】
同期設定情報５０に含められるジャンルＩＤは、必ずしもＰＣ１の記憶装置３２にも記憶されたデータ（ファイル）の識別情報である必要はなく、携帯電話１００の不揮発メモリ２３に記憶可能なデータおよびプログラムの識別情報であってもよい。つまり、ユーザは、ＰＣ１の操作部３３を介して、携帯電話１００に記憶された所定の複数種類のデータおよびプログラムであれば、同期対象として選択できるものとする。
【００５６】
図６は、ＰＣ１の記憶装置３２に記憶されるジャンル情報６０のデータ構造例を示す図である。
【００５７】
図６を参照して、ジャンル情報６０は、ジャンルＩＤと、ジャンル名（アドレス帳など）と、１以上のファイルとの、３つの項目を含み、各々が対応付けられて記憶される。各ファイルは、ファイルＩＤと、同期済みフラグと、更新日時と、複数の内容データを含む。
【００５８】
ファイルＩＤは、同一ジャンルの中のファイルを一意に識別するためのデータである。同期済みフラグは、同期済みか否かを識別するためのデータであり、同期済みであれば１、未同期であれば０が記録される。新たに追加・更新されたファイルの同期済みフラグは、未同期として、０が設定される。更新日時は、ファイルが追加・更新された日時が記録される。「複数の内容データ」とは、同期対象となり得るデータであり、たとえば、ジャンルがアドレス帳の場合、氏名データ、電話番号データ、メールアドレスデータなどを含む。
【００５９】
なお、本実施の形態では、ファイル単位で同期することとするが、ファイル内の内容データ単位で同期することとしてもよい。その場合、内容データごとに、同期済みフラグと更新日時とが対応付けられて記憶される。
【００６０】
図７は、携帯電話１００の不揮発メモリ２３に記憶されるジャンル情報７０のデータ構造例を示す図である。
【００６１】
図７を参照して、携帯電話１００においても、図６のジャンル情報６０と同様に、ジャンル情報７０は、ジャンルＩＤと、ジャンル名（アドレス帳など）と、１以上のファイルとの、３つの項目を含み、各々が対応付けられて記憶される。各ファイルは、ファイルＩＤと、同期済みフラグと、同期対象外フラグと、更新日時と、複数の内容データを含む。ジャンル情報６０との違いは、各ファイルに同期対象外フラグが含まれる点のみである。同期対象外フラグは、シークレットデータに登録されているか否かを識別する。ユーザにより、シークレットデータに登録されたファイルであれば、１が設定され、そうでなければ０が設定される。
【００６２】
同期済みフラグは、ＰＣ１と携帯電話１００との間で、同期開始要求をやり取りするときに参照され、どちらかの同期済みフラグが解除されているデータについて、同期が行なわれる。
【００６３】
ＰＣ１側の同期済みフラグは、同期ソフトの設定により、強制同期が設定されたデータに対して解除（１から０に更新）される。このように設定することで、同期済みデータであっても強制的に同期を行うことができるようになる。
【００６４】
携帯電話１００側の同期済みフラグは、同期後も、データが更新されたタイミングで解除（１から０に更新）されるため、更新または追加のあったファイルの同期もれを防ぎ、単純なシーケンスで同期を行うことができる。
【００６５】
なお、本実施の形態において、ＰＣ１および携帯電話１００は、各々、メール、アドレスなどの保存データが、更新または追加されて時点で、同期済みフラグを、１にセットするものとする。
【００６６】
＜動作について＞
本実施の形態において、ＰＣ１と携帯電話１００との間での概略的な信号の流れを図８に示す。
【００６７】
図８を参照して、携帯電話１００は、充電器１０１へ載置されたことを検出すると、ＰＣ１にＰＬＣ通信の開始を要求する（ステップＳ１）。ＰＣ１は、ステップＳ１の要求を受信すると、前もってユーザにより設定された同期スケジュールであれば、携帯電話１００に同期開始要求を通知する（ステップＳ２）。
【００６８】
携帯電話１００は、同期開始可能であれば、同期開始可能を通知する（ステップＳ３）。ステップＳ３の通知をＰＣ１が受けると、ＰＣ１は、記憶装置３２に記憶された同期設定情報を読出し、同期すべきデータのジャンルＩＤを、携帯電話１００に通知する（ステップＳ４）。
【００６９】
携帯電話１００は、ステップＳ４にて要求されたジャンルＩＤのファイル（同期ファイル）を、充電器１０１を介してＰＣ１へ送信する（ステップＳ５）。送信の際、更新日時データも付加する。
【００７０】
ステップＳ５の要求ファイルを受信すると、ＰＣ１は、各ファイルの更新日時データを元に同期の必要有無を判断し、必要であればデータの同期を実行する。すなわち、受付けたデータ（要求ファイル）を記憶装置３２の該当の領域に記憶する。また、同期の完了したファイルについては、同期済みフラグを１に設定し、識別情報を更新する。
【００７１】
同期が完了すると、ＰＣ１は携帯電話１００に対して該当のファイルの同期が完了したメッセージを送付する（ステップＳ６，Ｓ７）。同期完了メッセージを受信した携帯電話１００は、該当のファイルに対して同期済みフラグを１に設定する。
【００７２】
同期対象が存在する間、ステップＳ４〜Ｓ６（Ｓ７）の処理が繰返される。
携帯電話１００は、同期の必要なデータがすべて同期完了になった場合、同期データなし通知をＰＣ１に対して送信する（ステップＳ８）。ＰＣ１は、同期データなし通知を受信した場合、同期処理を終了する。
【００７３】
次に、本実施の形態における同期システムの具体的な処理手順について、図９および図１０のシーケンス図を用いて説明する。
【００７４】
図９および図１０は、本発明の実施の形態における同期システムにおいて、ＰＣ１と携帯電話１００とが実行するデータ同期処理の流れを示すシーケンス図である。図９および１０のシーケンス図に示す、ＰＣ１および携帯電話１００が実行する処理は、予め同期プログラム（アプリケーションプログラム）として記憶装置３２および不揮発メモリ２３にそれぞれ格納されている。制御部３１および制御回路２５がこの同期プログラムを読み出して実行することにより、データ同期処理の機能が実現される。
【００７５】
図９を参照して、はじめに、携帯電話１００は、充電器１０１に載置されたか否かを検出する（ステップＳ１０２）。載置の検出は、たとえば、充電回路２１による充電池２４の充電が開始されたか否かを検出することで可能である。より具体的には、たとえば、充電回路２１から充電池２４への電流の変化を検出することで可能である。なお、ここでは、携帯電話１００の制御部３１が、充電器１０１との接続の検知を行なうこととするが、充電器１０１のベースバンドプロセッサ２０１が、携帯電話１００との接続を検知することとしてもよい。
【００７６】
携帯電話１００の制御回路２５が、充電器１０１に載置されたことを検出した場合（ステップＳ１０２においてＹＥＳ）、携帯電話１００の充電が開始されるとともに、ベースバンドモジュール２２により、充電器載置がＰＣ１に通知される（ステップＳ１０４）。つまり、載置通知が、ベースバンドモジュール２２から、充電器１０１のＰＬＣモデム２０、電力線１２、および、ＰＬＣモデム１０を介して、通信部３０に送信される。
【００７７】
ＰＣ１の制御部３１は、通信部３０が充電器載置通知を受信したか否かを判断する（ステップＳ１０６）。通信部３０が充電器載置通知を受信した場合（ステップＳ１０６においてＹＥＳ）、制御部３１は、記憶装置３２に記憶された同期設定情報５０を読出す（ステップＳ１０８）。読出した同期設定情報５０は、制御部３１の図示しない内部メモリに一時記録される。
【００７８】
次に、ＰＣ１の制御部３１は、読出した同期設定情報５０に基づいて、現在が同期スケジュール内か否か、すなわち、同期すべきタイミングのジャンル（ファイルの種類）があるか否かを判断する（ステップＳ１１０）。具体的には、ジャンルごとの同期スケジュールと、そのジャンルについての前回の同期日時とに基づいて、同期タイミングのファイルがあるか否かを判断する。なお、ジャンルごとの前回の同期日時のデータも、設定情報５０に含まれることが好ましい。
【００７９】
現在が同期スケジュール内であると判断された場合（ステップＳ１１０においてＹＥＳ）、ＰＣ１は、通信部３０より、携帯電話１００に対し同期開始を要求する（ステップＳ１１２）。一方、現在が同期スケジュール内でないと判断された場合（ステップＳ１１０においてＮＯ）、データ同期処理は終了される。
【００８０】
携帯電話１００のベースバンドモジュール２２が同期開始要求を受信すると（ステップＳ１１４）、制御回路２５は、同期可能か否かを判断する（ステップＳ１１６）。具体的には、たとえば、ビジー状態でないか否かが判断される。
【００８１】
同期可能と判断された場合（ステップＳ１１６においてＹＥＳ）、携帯電話１００のベースバンドモジュール２２は、ＰＣ１に対し、同期可能を通知する（ステップＳ１１８）。一方、同期不能と判断された場合（ステップＳ１１６においてＮＯ）、データ同期処理は終了される。
【００８２】
ＰＣ１の制御部３１は、次に、所定期間内に同期可能通知を受信したか否かを判断する（ステップＳ１２０）。所定期間（たとえば１分）内に同期可能通知を受信しなければ（ステップＳ１２０においてＮＯ）、データ同期処理を終了する。所定期間内に同期可能通知を受信した場合（ステップＳ１２０においてＹＥＳ）、ステップＳ１０８で読出した同期設定情報５０から、同期すべきデータの識別情報を通知する（ステップＳ１２２）。具体的には、現在が同期タイミングのジャンルのジャンルＩＤを携帯電話１００に通知する。
【００８３】
携帯電話１００の制御回路２５は、ベースバンドモジュール２２にてデータ識別情報（ジャンルＩＤ）が受信されると（ステップＳ１２４）、受信したデータ識別情報により識別されるデータに、同期対象があるか否かを判断する（ステップＳ１２６）。すなわち、制御回路２５は、不揮発メモリ２３に記憶されたジャンル情報７０を検索し、通知されたジャンルＩＤのファイル群のうち、同期済みフラグが解除され（フラグ値＝０）、かつ、同期対象外フラグが０（対象外ではない）のファイルを抽出する。
【００８４】
同期対象があると判断された場合（ステップＳ１２６においてＹＥＳ）、携帯電話１００の制御回路２５は、同期対象リストを作成し、作成したリストを、ベースバンドモジュール２２を介してＰＣ１に送信する（ステップＳ１３０）。具体的には、同期対象として検索されたファイルのファイルＩＤをリストにして送信する。一方、同期対象がないと判断された場合（ステップＳ１２６においてＮＯ）、同期データがない旨ＰＣ１に通知する（ステップＳ１２８）。
【００８５】
ＰＣ１の制御部３１は、通信部３０を介して携帯電話１００から同期対象リストを受信したか否かを判断する（ステップＳ１３２）。同期対象リストを受信したと判断した場合（ステップＳ１３２においてＹＥＳ）、ＰＣ１は、受信したリストのうち１つのファイルの送信を携帯電話１００に要求する（ステップＳ１３４）。一方、同期対象リストを受信していないと判断した場合（ステップＳ１３２においてＮＯ）、すなわち、同期データがない旨通知された場合、データ同期処理を終了する。
【００８６】
図１０を参照して、携帯電話１００の制御回路２５は、ＰＣ１からデータ送信が要求されると、要求されたファイルＩＤのファイルを不揮発メモリ２３から読出す（ステップＳ１３６）。携帯電話１００の制御回路２５は、読出したファイル（内容データ）を暗号化し（ステップＳ１３８）、暗号化したファイルをＰＣ１に送信する（ステップＳ１４０）。暗号化の方法については上述のとおりであるので、ここでの説明は繰返さない。なお、暗号化ファイルを送信する際、該当ファイルの更新日時データも併せて送信される。あるいは、内容データと更新日時データとの両方が暗号化されてもよい。
【００８７】
ＰＣ１は、所定期間（たとえば１分）内にファイルを受信したか否かを判断する（ステップＳ１４２）。所定期間内にファイルを受信しなければ（ステップＳ１４２においてＮＯ）、データ同期処理を終了する。所定期間内にファイルが受信された場合（ステップＳ１４２においてＹＥＳ）、ＰＣ１の制御部３１は、受信したファイルを複号化する（ステップＳ１４４）。復号化の方法についても上述のとおりであるので、ここでの説明は繰返さない。
【００８８】
ＰＣ１の制御部３１は、受信したファイルの更新日時データより、同期が必要か否かを判断する（ステップＳ１４６）。つまり、受信したファイルの更新日時が、記憶装置３２に記憶されたファイルの更新日時よりも新しいか否かが判断される。このような判断を行なうことにより、ＰＣ１にて保存済みのデータよりも古いデータに書き換えられることを防止することができる。
【００８９】
同期が必要と判断された場合（ステップＳ１４６においてＹＥＳ）、ステップＳ１４８に進む。一方、同期が必要でないと判断した場合（ステップＳ１４６においてＮＯ）、ステップＳ１６２に進む。
【００９０】
ステップＳ１４８において、ＰＣ１の制御部３１は、複号化したファイルを更新日時とともに記憶装置３２に保存する。つまり、携帯電話１００の不揮発メモリ２３に記憶されたデータを、記憶装置３２に記憶されたデータと同期させる処理が行なわれる。より具体的には、ステップＳ１３４で要求したファイルＩＤのジャンル情報６０の内容データに、受信した内容データに書き換える処理を行なう。これにより、ＰＣ１内のデータ（プログラムも含む）が、携帯電話１００で変更されたデータに自動的に更新される。ステップＳ１３４で要求したファイルＩＤのジャンル情報がＰＣ１側にない場合、記憶装置３２に新たなジャンル情報が追加される。これにより、携帯電話１００で追加されたデータ（プログラムも含む）も、ＰＣ１に自動的に記憶することができる。
【００９１】
同期が終わると、ＰＣ１の制御部３１は、同期したデータの同期済フラグを１に設定する（ステップＳ１５０）。そして、ＰＣ１は、同期済通知を携帯電話１００に送信する（ステップＳ１５２）。携帯電話１００は、同期済通知を受信すると（ステップＳ１５４）、制御回路２５は、送信したファイルの同期済フラグを１に設定する（ステップＳ１５６）。
【００９２】
次に、携帯電話１００の制御回路２５は、同期対象がなくなったか否かを判断する（ステップＳ１５８）。つまり、同期済みフラグが解消されている（フラグ値が０）のファイルが残っているか否かを判断する。同期対象が残っていると判断された場合（ステップＳ１５８においてＮＯ）、ステップＳ１３４〜Ｓ１５６の処理が繰返される。一方、同期対象が残っていないと判断された場合（ステップＳ１５８においてＹＥＳ）、携帯電話１００は、同期対象なし通知をＰＣ１に送信する（ステップＳ１６０）。
【００９３】
ＰＣ１の制御部３１は、ステップＳ１６２において、ファイルリストの全ファイルの同期が終了したか、または、同期対象なし通知を受信したかを判断する。全ファイルの同期が終了しておらず、かつ、同期対象なし通知を受信していないと判断した場合（ステップＳ１６２においてＮＯ）、ステップＳ１３４に戻る。一方、ファイルリストの全ファイルの同期が終了したと判断した場合、または、同期対象なし通知を受信したと判断した場合（ステップＳ１５８においてＹＥＳ）、データ同期処理が終了される。
【００９４】
携帯電話１００に内蔵されている充電池２４は日常的に充電が行われる。一般的には、専用の充電器１０１に載置されることで、携帯電話１００の充電が行われる。本実施の形態では、ユーザが携帯電話１００を充電する際に、自動で携帯電話１００内のデータの差分をＰＣ１と同期することが可能である。したがって、データ同期の際に別途ケーブルを新たに接続する必要がなく、同期に関する煩わしい操作も必要ない。また、ケーブルの挿抜もないため、コネクタ破損を生じる心配もない。
【００９５】
なお、本実施の形態では、携帯電話１００の充電器１０１への載置を通信開始のトリガーとしたが、さらに、ユーザの操作を通信開始のトリガーとしてもよい。このような場合のＰＣ１と携帯電話１００との間での概略的な信号の流れを図１１に示す。
【００９６】
図１１を参照して、ＰＣ１の操作部３３を介して、ユーザが同期開始を指示すると、ＰＣ１は、充電器１０１に携帯電話１００が載置されているか否かの確認（充電ホルダ載置確認）の要求をＰＬＣモデム２０に送信する（ステップＳ０）。載置されていれば、ＰＬＣモデム２０から、ベースバンドモジュール２２を介して制御回路２５に要求が転送され、制御回路２５は、ＰＣ１に対して充電ホルダ載置済みを通知する（ステップＳ１’）。そうすると、ＰＣ１は、同期設定情報５０を読出し、（スケジュールを確認することなく）同期開始要求を出力し（ステップＳ２）、以降、上記と同様の処理が実行される。
【００９７】
一方、携帯電話１００が載置されていなければ、充電ホルダ載置済みの通知がＰＣ１に送信されないので、以降の処理は実行されることなく終了する。
【００９８】
このように、データ同期処理をユーザの操作によっても開始可能とすることで、ユーザは、スケジュールをどのように設定したかを意識することなく、任意のタイミングで携帯電話１００に記憶されたデータをＰＣ１内のデータと同期させることができる。したがって、たとえば、携帯電話１００の買い替えの際などに、携帯電話１００に記憶された、所望の全てのデータ（プログラムも含む）を、一度の処理でＰＣ１に保存することができる。
【００９９】
なお、上記フローチャートでは、携帯電話１００のデータをＰＣ１のデータに同期させる場合のみ示したが、ＰＣ１のデータを携帯電話１００のデータに同期させることもできる。
【０１００】
また、充電器１０１が不揮発性の記憶装置（図示せず）をさらに内蔵していてもよい。つまり、充電器１０１は外部記憶メディアとしての機能を有してもよい。この場合、携帯電話１００が充電器１０１に載置されると、携帯電話１００は同期対象データ（同期済みフラグが解除され、かつ、同期対象外フラグが設定されていないデータ）を充電器１０１の記憶装置（図示せず）へ保存しておく。これにより、本システムによりユーザが同期要求を開始した時に、携帯電話１００が載置されていない状態でも充電器１０１内のデータに対して同期を実行することができる。充電器１０１の記憶措置（図示せず）は、携帯電話１００およびＰＣ１のシステムから読み書きができるもので実装可能である。
【０１０１】
以上のような、本実施の形態における通信開始の手法、同期の手法、同期シーケンス等を規格化することにより、携帯電話の機種による依存をなくすことができ、当該の規格に準拠する携帯電話間での相互のデータ同期、データ移行作業を簡易に実施することができる。
【０１０２】
なお、携帯電話１００内のデータと同期するデータの保存先となる情報記憶装置は、ＰＣ１に限定されるものではなく、同期専用端末２を用いて実現することも可能である。同期専用端末２は、ＰＬＣモデム３と、図示しないＣＰＵなどのプロセッサおよび不揮発性記憶装置とを内蔵し、その記憶装置に、ＰＣ１に常駐していた自動同期ソフトウェアを記憶させる。つまり、同期専用端末２の記憶装置（図示せず）は、データ保存領域と同期専用プログラム領域とを有していればよく、携帯電話１００の充電器１０１への載置をＰＬＣモデム２０を介して検知することで、上述のようなデータ同期処理を行うことができる。なお、同期専用端末２は、前もって上記同期設定情報を設定するために必要な操作部およびクロックも備えていることが好ましい。
【０１０３】
このように、上記規格に準拠した同期専用端末２を用いることで、ＰＣを持たないユーザにおいても簡易に機種、製造会社の異なる携帯電話間でのデータの同期を行うことが可能となる。
【０１０４】
また、本発明の情報記憶装置（ＰＣまたは同期専用端末）が行なうデータ同期方法、および、携帯情報端末（たとえば携帯電話）が行なうデータ同期方法を、それぞれプログラム（データ同期プログラム）として提供することもできる。このようなプログラムは、ＣＤ−ＲＯＭなどの光学媒体や、メモリカードなどのコンピュータ読取り可能な記録媒体にて記録させて、プログラム製品として提供することもできる。また、ネットワークを介したダウンロードによって、プログラムを提供することもできる。
【０１０５】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１０６】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１０７】
提供されるプログラム製品は、ハードディスクなどのプログラム格納部にインストールされて実行される。なお、プログラム製品は、プログラム自体と、プログラムが記憶された記憶媒体とを含む。
【０１０８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０９】
【図１】本発明の実施の形態に係るデータ同期システムの概念図である。
【図２】本発明の実施の形態に係るデータ同期システムにおけるＰＣのハードウェアブロック図である。
【図３】本発明の実施の形態に係るデータ同期システムにおける充電器に内蔵されたＰＬＣモデムのハードウェア構成例を示すブロック図である。
【図４】本発明の実施の形態における同期ソフトと携帯電話との関連付けのイメージを示す図である。
【図５】ＰＣの記憶装置に記憶される同期設定情報のデータ構造例を示す図である。
【図６】ＰＣの記憶装置に記憶されるジャンル情報のデータ構造例を示す図である。
【図７】携帯電話の不揮発メモリに記憶されるジャンル情報のデータ構造例を示す図である。
【図８】ＰＣと携帯電話との間での概略的な信号の流れを示すシーケンス図である。
【図９】本発明の実施の形態における同期システムにおいて、ＰＣと携帯電話とが実行するデータ同期処理の流れを示すシーケンス図である。
【図１０】本発明の実施の形態における同期システムにおいて、ＰＣと携帯電話とが実行するデータ同期処理の流れを示すシーケンス図である。
【図１１】ＰＣと携帯電話との間での概略的な信号の他の流れを示すシーケンス図である。
【符号の説明】
【０１１０】
１  ＰＣ（パーソナルコンピュータ）、２  同期専用端末、３  ＰＬＣモデム、１０  ＰＬＣモデム、１１  ＬＡＮケーブル、１２  電力線、２０  ＰＬＣモデム、２１  充電回路、２２  ベースバンドモジュール、２３  不揮発メモリ、２４  充電池、２５  制御回路、２６ａ  メモリカード、２６  読出部、３０  通信部、３１  制御部、３２  記憶装置、３３  操作部、３４  表示部、３５  クロック、３６  ＣＤ−ＲＯＭドライブ、５０  同期設定情報、６０，７０  ジャンル情報、１００  携帯電話、１０１  充電器、２０１  ベースバンドプロセッサ、２０３  Ｄ／Ａ回路、２０４  Ａ／Ｄ回路、２０５  結合回路。
【図１】
2009278160.tif 000003
【図２】
2009278160.tif 000004
【図３】
2009278160.tif 000005
【図４】
2009278160.tif 000006
【図５】
2009278160.tif 000007
【図６】
2009278160.tif 000008
【図７】
2009278160.tif 000009
【図８】
2009278160.tif 000010
【図９】
2009278160.tif 000011
【図１０】
2009278160.tif 000012
【図１１】
2009278160.tif 000013